(57)【特許請求の範囲】
【請求項１】
ワイヤレス通信のための装置であって、
少なくとも１つのワイヤレスデバイスがアウェイクであるようにスケジュールされる期間を決定することと、
前記期間中に前記少なくとも１つのワイヤレスデバイスへの送信のための第１のフレームを生成することと
を行うように構成された処理システムと、
送信のための前記第１のフレームを出力するように構成された第１のインターフェースと、
送信のための前記第１のフレームが出力された後に第２のフレームを取得するように構成された第２のインターフェースと
を備え、前記処理システムは、
前記第１のフレームを出力することと前記第２のフレームを取得することとの間の時間差に基づいてレンジング情報を決定することと、
前記レンジング情報を含む第３のフレームを生成することと
を行うようにさらに構成され、
前記第１のインターフェースは、送信のための前記第３のフレームを出力するようにさらに構成され、
前記第１のフレーム、前記第２のフレーム、または前記第３のフレームのうちの少なくとも１つは、前記少なくとも１つのワイヤレスデバイスとの実行される関連付けプロシージャ中に通信され、
前記第２のインターフェースは、前記少なくとも１つのワイヤレスデバイスから、モビリティ情報のインジケーションを取得するように構成され、
前記処理システムは、前記インジケーションに基づいて前記少なくとも１つのワイヤレスデバイスとの前記関連付けプロシージャを開始するように構成された、装置。
【請求項２】
前記レンジング情報は、ファインタイミング測定（ＦＴＭ）情報を備える、
請求項１に記載の装置。
【請求項３】
前記装置は、非アクセスポイント（ＡＰ）局として構成され、前記少なくとも１つのワイヤレスデバイスは、非ＡＰ局を備える、
請求項１に記載の装置。
【請求項４】
前記少なくとも１つのワイヤレスデバイスは、ネイバーアウェアネットワーク（ＮＡＮ）のメンバーであり、
前記処理システムは、前記ＮＡＮの同期信号に基づいて、前記少なくとも１つのワイヤレスデバイスがアウェイクであるようにスケジュールされる前記期間を決定するように構成された、
請求項１に記載の装置。
【請求項５】
前記第１のフレーム、前記第２のフレーム、または前記第３のフレームのうちの前記少なくとも１つは、関連付けまたは認証フレームを備える、
請求項１に記載の装置。
【請求項６】
前記第１のフレーム、前記第２のフレーム、または前記第３のフレームのうちの少なくとも１つは、プローブ要求、プローブ応答、受信トリガフレームまたは送信ポールフレームを備える、
請求項１に記載の装置。
【請求項７】
前記少なくとも１つのワイヤレスデバイスがアウェイクであるようにスケジュールされる前記期間を決定することは、前記少なくとも１つのワイヤレスデバイスがトラフィック告知に基づいてデータを送るかまたは受信するようにスケジュールされると決定することを備える、
請求項１に記載の装置。
【請求項８】
前記第１のインターフェースは、少なくとも他のワイヤレスデバイスへの送信のための前記第３のフレームを出力するように構成された、
請求項１に記載の装置。
【請求項９】
前記処理システムは、前記装置が静止しているかどうかを示すモビリティ情報を含む第４のフレームを生成するように構成され、
前記第１のインターフェースは、前記少なくとも１つのワイヤレスデバイスまたは前記少なくとも１つの他のワイヤレスデバイスのうちの少なくとも１つへの送信のための前記第４のフレームを出力するように構成された、
請求項８に記載の装置。
【請求項１０】
前記第３のフレームは、少なくとも前記ワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
請求項８に記載の装置。
【請求項１１】
前記第２のインターフェースは、前記レンジング情報を要求する前記少なくとも１つの他のワイヤレスデバイスから第４のフレームを取得するようにさらに構成され、
前記第３のフレームは、前記第４のフレームに応答して前記少なくとも１つの他のワイヤレスデバイスへの送信のために出力される、
請求項８に記載の装置。
【請求項１２】
前記第１のフレームと前記第３のフレームとを送信するように構成された送信機と、
前記第２のフレームを受信するように構成された受信機と、ここにおいて、前記装置は、ワイヤレス局として構成される、
をさらに備える、請求項１に記載の装置。
【請求項１３】
ワイヤレス通信のための装置であって、
第１の電力状態からアウェイクするための期間を決定するように構成された処理システムと、
前記期間中にワイヤレスデバイスから第１のフレームを取得するように構成された第１のインターフェースと、ここにおいて、前記処理システムは、前記第１のフレームが前記期間中に前記ワイヤレスデバイスから取得された後に前記ワイヤレスデバイスへの送信のための第２のフレームを生成するようにさらに構成される、
前記ワイヤレスデバイスへの送信のための前記第２のフレームを出力するように構成された第２のインターフェースと
を備え、
前記第１のインターフェースは、レンジング情報を備える第３のフレームを取得するようにさらに構成され、
前記処理システムは、前記第３のフレームに含まれる前記レンジング情報に基づいて、前記装置に対する前記ワイヤレスデバイスの相対ロケーションを決定するようにさらに構成され、
前記第１のフレーム、前記第２のフレーム、または前記第３のフレームのうちの少なくとも１つは、前記ワイヤレスデバイスとの実行される関連付けプロシージャ中に通信され、
前記第１のインターフェースは、前記ワイヤレスデバイスから、モビリティ情報のインジケーションを取得するように構成され、
前記処理システムは、前記インジケーションに基づいて前記関連付けプロシージャを開始するように構成された、装置。
【請求項１４】
前記レンジング情報は、ファインタイミング測定（ＦＴＭ）情報を備える、
請求項１３に記載の装置。
【請求項１５】
前記第１のフレーム、前記第２のフレーム、または前記第３のフレームのうちの少なくとも１つは、関連付けフレーム、認証フレーム、プローブ要求またはプローブ応答を備える、
請求項１３に記載の装置。
【請求項１６】
前記処理システムは、同期信号に基づいて前記第１の電力状態からアウェイクするための前記期間を決定するように構成された、
請求項１３に記載の装置。
【請求項１７】
前記第１の電力状態からアウェイクするための前記期間を決定することは、前記装置がトラフィック告知に基づいてデータを送るかまたは受信するようにスケジュールされると決定することを備える、
請求項１３に記載の装置。
【請求項１８】
前記第１のフレーム、前記第２のフレーム、または前記第３のフレームのうちの少なくとも１つは、受信トリガフレームまたは送信ポールフレームのうちの少なくとも１つを備える、
請求項１３に記載の装置。
【請求項１９】
前記第１のインターフェースは、少なくとも他のワイヤレスデバイスに関するレンジング情報を含む第４のフレームを取得するように構成され、
前記処理システムは、前記第４のフレーム中に含まれる前記レンジング情報に基づいて、前記ワイヤレスデバイスと前記他のワイヤレスデバイスとの間の相対距離を決定するように構成された、
請求項１３に記載の装置。
【請求項２０】
前記処理システムは、前記ワイヤレスデバイスが静止していることをモビリティ情報が示す場合のみ、前記第４のフレーム中に含まれる前記レンジング情報に基づいて、前記ワイヤレスデバイスと前記他のワイヤレスデバイスとの間の相対距離を決定するように構成された、
請求項１９に記載の装置。
【請求項２１】
前記第４のフレームは、少なくとも前記他のワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
請求項１９に記載の装置。
【請求項２２】
前記処理システムは、前記他のワイヤレスデバイスに関する前記レンジング情報を要求する第５のフレームを生成するように構成され、
前記第２のインターフェースは、送信のための前記第５のフレームを出力するように構成された、
請求項１９に記載の装置。
【請求項２３】
前記第４のフレームは、１つまたは複数の追加のワイヤレスデバイスに関するレンジング情報を含む、
請求項１９に記載の装置。
【請求項２４】
前記第１のフレームと前記第３のフレームとを受信するように構成された受信機と、
前記第２のフレームを送信するように構成された送信機と、ここにおいて、前記装置は、ワイヤレス局として構成される、
をさらに備える、請求項１３に記載の装置。
【請求項２５】
装置によるワイヤレス通信のための方法であって、
少なくとも１つのワイヤレスデバイスがアウェイクであるようにスケジュールされる期間を決定することと、
前記期間中に前記ワイヤレスデバイスへの送信のための第１のフレームを生成することと、
送信のための前記第１のフレームを出力し、前記第１のフレームを出力した後に第２のフレームを取得することと、
前記第１のフレームを出力することと、前記第２のフレームを取得することとの間の時間差に基づいてレンジング情報を決定することと、
前記レンジング情報を含む第３のフレームを生成することと、
送信のための前記第３のフレームを出力することと
を備え、
前記第１のフレーム、前記第２のフレーム、または前記第３のフレームのうちの少なくとも１つは、前記ワイヤレスデバイスとの実行される関連付けプロシージャ中に通信され、
前記方法は、前記ワイヤレスデバイスから、モビリティ情報のインジケーションを取得することと
前記インジケーションに基づいて前記関連付けプロシージャを開始することと
をさらに備える、方法。
【請求項２６】
装置によるワイヤレス通信のための方法であって、
第１の電力状態からアウェイクするための期間を決定することと、
前記期間中にワイヤレスデバイスから第１のフレームを取得することと、
前記期間中に前記ワイヤレスデバイスから前記第１のフレームを取得した後に前記ワイヤレスデバイスへの送信のための第２のフレームを生成することと、
前記ワイヤレスデバイスへの送信のための前記第２のフレームを出力することと、
レンジング情報を備える第３のフレームを取得することと、
前記第３のフレーム中に含まれる前記レンジング情報に基づいて前記装置に対する前記ワイヤレスデバイスの相対ロケーションを決定することと
を備え、
前記第１のフレーム、前記第２のフレーム、または前記第３のフレームのうちの少なくとも１つは、前記ワイヤレスデバイスとの実行される関連付けプロシージャ中に通信され、
前記方法は、前記ワイヤレスデバイスから、モビリティ情報のインジケーションを取得することと、
前記インジケーションに基づいて前記関連付けプロシージャを開始することと
をさらに備える、方法。
【発明の詳細な説明】
【米国特許法第１１９条に基づく優先権の主張】
【０００１】
[0001]本出願は、本出願の譲受人に譲渡され、参照により本明細書に明確に組み込まれる、２０１５年２月１３日に出願された米国仮特許出願第６２／１１６，２１９号（代理人整理番号１５２０６５ＵＳＬ号）の優先権および利益を主張する、２０１６年２月１１日に出願された米国特許出願第１５／０４２，０４１号の優先権を主張する。
【技術分野】
【０００２】
[0002]本開示のいくつかの態様は、一般にワイヤレス通信に関し、より詳細には、たとえば、ネイバーアウェアネットワーク（ＮＡＮ：neighbor aware network）における効率的なレンジング（ranging）に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加された通信範囲に対する要望に対処するために、様々なスキームが開発されている。１つのそのようなスキームは、米国電気電子技術者協会（ＩＥＥＥ）８０２．１１ａｈタスクフォースによって開発されている（たとえば、米国では９０２〜９２８ＭＨｚ範囲中で運用している）サブ１ＧＨｚ周波数範囲である。この開発は、他のＩＥＥＥ８０２．１１技術の周波数範囲に関連するワイヤレス範囲よりも大きいワイヤレス範囲と、妨害による経路損失に関連する潜在的により少ない問題とを有する周波数範囲を利用したいという要望によって推進される。
【発明の概要】
【０００５】
[0005]本開示のシステム、方法、およびデバイスは、それぞれいくつかの態様を有し、それらのうちの単一の態様が単独で本開示の望ましい属性を担当するわけではない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおける改善された通信を含む利点をどのように提供するかが理解されよう。
【０００６】
[0006]本開示の態様は、一般にワイヤレス通信に関し、より詳細には、たとえば、ネイバーアウェアネットワーク（ＮＡＮ）における効率的なレンジングに関する。
【０００７】
[0007]本開示の態様は、ワイヤレス通信のための装置を提供する。本装置は、概して、少なくとも１つのワイヤレスデバイスがアウェイクであるようにスケジュールされる期間を決定することと、期間中にワイヤレスデバイスへの送信のための第１のフレームを生成することと、第１のフレームの送信と第１のフレームに応答する第２のフレームの受信との間の時間差に基づいてレンジング情報を決定することと、レンジング情報を含む第３のフレームを生成することとを行うように構成された処理システムように構成された処理システムと、送信のための第１のフレームと第３のフレームとを出力するように構成された第１のインターフェースと、第２のフレームを取得するように構成された第２のインターフェースとを含む。
【０００８】
[0008]本開示の態様は、ワイヤレス通信のための装置を提供する。本装置は、概して、第１の電力状態からアウェイクするための期間を決定することと、期間中にワイヤレスデバイスから受信された第１のフレームに応答して、ワイヤレスデバイスへの送信のための第２のフレームを生成することと、レンジング情報を備える第３のフレームに基づいて、装置に対するワイヤレスデバイスの相対ロケーションを決定することとを行うように構成された処理システムと、ワイヤレスデバイスへの送信のための第２のフレームを出力するように構成された第１のインターフェースと、第１のフレームと第３のフレームとを取得するように構成された第２のインターフェースとを含む。
【０００９】
[0009]本開示の態様は、第１の装置によるワイヤレス通信のための方法を提供する。本方法は、概して、装置によって、少なくとも１つのワイヤレスデバイスがアウェイクであるようにスケジュールされる期間を決定することと、期間中にワイヤレスデバイスへの送信のための第１のフレームを生成することと、第１のフレームの送信と第１のフレームに応答する第２のフレームの受信との間の時間差に基づいてレンジング情報を決定することと、レンジング情報を含む第３のフレームを生成することと、送信のための第１のフレームと第３のフレームとを出力することと、第２のフレームを取得することとを含む。
【００１０】
[0010]本開示の態様は、第１の装置によるワイヤレス通信のための方法を提供する。本方法は、概して、装置によって、第１の電力状態からアウェイクするための期間を決定することと、期間中にワイヤレスデバイスから受信された第１のフレームに応答して、ワイヤレスデバイスへの送信のための第２のフレームを生成することと、レンジング情報を備える第３のフレームに基づいて、装置に対するワイヤレスデバイスの相対ロケーションを決定することと、ワイヤレスデバイスへの送信のための第２のフレームを出力することと、第１のフレームと第３のフレームとを取得することとを含む。
【００１１】
[0011]本開示の態様は、ワイヤレス通信のための装置を提供する。本装置は、概して、少なくとも１つのワイヤレスデバイスがアウェイクであるようにスケジュールされる期間を決定するための手段と、期間中にワイヤレスデバイスへの送信のための第１のフレームを生成するための手段と、第１のフレームの送信と第１のフレームに応答する第２のフレームの受信との間の時間差に基づいてレンジング情報を決定するための手段と、レンジング情報を含む第３のフレームを生成するための手段と、送信のための第１のフレームと第３のフレームとを出力するための手段と、第２のフレームを取得するための手段とを含む。
【００１２】
[0012]本開示の態様は、ワイヤレス通信のための装置を提供する。本装置は、概して、第１の電力状態からアウェイクするための期間を決定するための手段と、期間中にワイヤレスデバイスから受信された第１のフレームに応答して、ワイヤレスデバイスへの送信のための第２のフレームを生成するための手段と、レンジング情報を備える第３のフレームに基づいて、装置に対するワイヤレスデバイスの相対ロケーションを決定するための手段と、ワイヤレスデバイスへの送信のための第２のフレームを出力するための手段と、第１のフレームと第３のフレームとを取得するための手段とを含む。
【００１３】
[0013]本開示の態様は、装置によって、少なくとも１つのワイヤレスデバイスがアウェイクであるようにスケジュールされる期間を決定することと、期間中にワイヤレスデバイスへの送信のための第１のフレームを生成することと、第１のフレームの送信と第１のフレームに応答する第２のフレームの受信との間の時間差に基づいてレンジング情報を決定することと、レンジング情報を含む第３のフレームを生成することと、送信のための第１のフレームと第３のフレームとを出力することと、第２のフレームを取得することとを行うための命令を記憶したコンピュータ可読媒体を提供する。
【００１４】
[0014]本開示の態様は、装置によって、第１の電力状態からアウェイクするための期間を決定することと、期間中にワイヤレスデバイスから受信された第１のフレームに応答して、ワイヤレスデバイスへの送信のための第２のフレームを生成することと、レンジング情報を備える第３のフレームに基づいて、装置に対するワイヤレスデバイスの相対ロケーションを決定することと、ワイヤレスデバイスへの送信のための第２のフレームを出力することと、第１のフレームと第３のフレームとを取得することとを行うための命令を記憶したコンピュータ可読媒体を提供する。
【００１５】
[0015]本開示の態様は局を提供する。本局は、概して、少なくとも１つのアンテナと、少なくとも１つのワイヤレスデバイスがアウェイクであるようにスケジュールされる期間を決定することと、期間中にワイヤレスデバイスへの送信のための第１のフレームを生成することと、第１のフレームの送信と第１のフレームに応答する第２のフレームの受信との間の時間差に基づいてレンジング情報を決定することと、レンジング情報を含む第３のフレームを生成することとを行うように構成された処理システムと、少なくとも１つのアンテナを介して、送信のための第１のフレームと第３のフレームとを送信するように構成された送信機と、少なくとも１つのアンテナを介して、第２のフレームを受信するように構成された受信機とを含む。
【００１６】
[0016]本開示の態様は局を提供する。本局は、概して、第１の電力状態からアウェイクするための期間を決定することと、期間中にワイヤレスデバイスから受信された第１のフレームに応答して、ワイヤレスデバイスへの送信のための第２のフレームを生成することと、レンジング情報を備える第３のフレームに基づいて、装置に対するワイヤレスデバイスの相対ロケーションを決定することとを行うように構成された処理システムと、少なくとも１つのアンテナを介して、ワイヤレスデバイスへの送信のための第２のフレームを送信するように構成された送信機と、少なくとも１つのアンテナを介して、第１のフレームと第３のフレームとを受信するように構成された受信機とを含む。
【００１７】
[0017]上記および関係する目的を達成するために、１つまたは複数の態様は、以下で十分に説明され、特に特許請求の範囲で指摘される特徴を備える。以下の説明および添付の図面は、１つまたは複数の態様のうちのいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００１８】
【図１】本開示のいくつかの態様による、例示的なワイヤレス通信ネットワークの図。
【図２】本開示のいくつかの態様による、例示的なアクセスポイントおよびユーザ端末のブロック図。
【図３】本開示のいくつかの態様による、例示的なワイヤレスデバイスのブロック図。
【図４】本開示のいくつかの態様による、例示的なネイバーアウェアネットワーク（ＮＡＮ）クラスタを示す図。
【図５】本開示のいくつかの態様による、重複するＮＡＮクラスタをもつ例示的なＮＡＮネットワークを示す図。
【図６】本開示のいくつかの態様による、ファインタイミング測定（ＦＴＭ：fine timing measurement）プロシージャのためのフレーム交換を示す例示的なコールフロー。
【図７】本開示のいくつかの態様による、開始装置によるワイヤレス通信のための例示的な動作のブロック図。
【図７Ａ】図７に示されている動作を実行することが可能な例示的な手段を示す図。
【図８】本開示のいくつかの態様による、例示的な発見ウィンドウ期間を示す例示的な時間シーケンス図。
【図９】本開示のいくつかの態様による、応答装置によるワイヤレス通信のための例示的な動作のブロック図。
【図９Ａ】図９に示されている動作を実行することが可能な例示的な手段を示す図。
【００１９】
[0029]理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【発明を実施するための形態】
【００２０】
[0030]添付の図面を参照しながら本開示の様々な態様が以下でより十分に説明される。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示される本開示のいずれの態様も、請求項の１つまたは複数の要素によって実施され得ることを理解されたい。
【００２１】
[0031]本開示の態様は、一般にワイヤレス通信に関し、より詳細には、たとえば、ネイバーアウェアネットワーク（ＮＡＮ）における効率的なレンジングに関する。本明細書で使用されるレンジングという用語は、概して、（１つまたは複数の）デバイスの位置に関する（たとえば、１ｍ以内の）比較的正確な情報を取得するための任意の好適な技法を指す。いくつかの場合には、既存のワイヤレスネットワークインフラストラクチャを使用するレンジングが、正確な測位をもたらし得る。そのような情報は、緊急救助、サービス配信、またはネットワーク最適化など、様々な適用例において使用され得る。
【００２２】
[0032]本明細書でより詳細に説明されるように、局がアウェイクであるようにすでにスケジュールされた時間中に（たとえば、ページングウィンドウまたはデータウィンドウ中に）、ファインタイミング測定（ＦＴＭ）情報（たとえば、または他のタイプのレンジング情報）が交換され得る。さらに、ＦＴＭ情報は、既存のフレーム（たとえば、関連付けフレーム、トリガ／ポーリングフレーム、プローブ応答／プローブ要求フレーム）中で交換され得る。ＦＴＭ情報はまた、他の局とレンジングした静止したデバイスであり得るプロキシ局を介して受信され得る。静止したデバイスの既知のロケーションに結合されたＦＴＭ情報は、「プロキシによるレンジング」を可能にし得る。いくつかの場合には、プロキシデバイスは、（たとえば、他のデバイスの範囲外にある）要求局に、他のデバイスについてのレンジング情報を与え得る。
【００２３】
[0033]「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００２４】
[0034]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００２５】
[0035]本明細書で説明される技法は、直交多重化スキームに基づく通信システムを含む様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、およびシングルキャリア周波数分割多元接続（ＳＣ−ＦＤＭＡ）システムがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭでは時間領域で送られる。
【００２６】
[0036]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２７】
[0037]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２８】
[0038]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＡＰとして働く「ＡＰ  ＳＴＡ」または非アクセスポイントＳＴＡまたは「非ＡＰ  ＳＴＡ」など、「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ＡＴはワイヤレスノードであり得る。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。  
例示的なワイヤレス通信システム
【００２９】
[0039]図１は、本開示の態様が実行され得るシステム１００を示す。たとえば、アクセスポイント１１０および／またはユーザ端末１２０を含むワイヤレス局のいずれかが、ネイバーアウェアネットワーク（ＮＡＮ）中にあり得る。ワイヤレス局は、ワイヤレス局が起動するようにすでにスケジュールされた期間中に（たとえば、ページングウィンドウまたはデータウィンドウ中に）、レンジングのためのファインタイミング測定（ＦＴＭ）情報を交換し得、既存のフレーム（たとえば、関連付けフレーム、トリガ／ポーリングフレーム、プローブ要求／プローブ応答フレーム）を使用してＦＴＭ情報を交換し得る。態様では、ワイヤレスデバイスのうちの１つが、レンジングプロキシとして働き得る。
【００３０】
[0040]システム１００は、たとえば、アクセスポイントとユーザ端末とをもつ多元接続多入力多出力（ＭＩＭＯ）システム１００であり得る。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定式または可動式であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。
【００３１】
[0041]システムコントローラ１３０は、これらのＡＰおよび／または他のシステムのために協調および制御を行い得る。ＡＰは、たとえば、無線周波数電力、チャネル、認証、およびセキュリティに対する調整を扱い得るシステムコントローラ１３０によって管理され得る。システムコントローラ１３０は、バックホールを介してＡＰと通信し得る。ＡＰはまた、たとえば、ワイヤレスバックホールまたはワイヤラインバックホールを介して直接または間接的に互いに通信し得る。
【００３２】
[0042]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡユーザ端末が適切と見なされるときに導入されることを可能にしながら、より古いバージョンのユーザ端末（「レガシー」局）が企業において展開されたままであることを可能にし、それらの有効寿命を延長し得る。
【００３３】
[0043]システム１００は、ダウンリンクおよびアップリンク上でのデータ送信のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが、何らかの手段によって、コード、周波数または時間において多重化されない場合、Ｎap≧Ｋ≧１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、アクセスポイントにユーザ固有データを送信し、および／またはアクセスポイントからユーザ固有データを受信する。概して、各選択されたユーザ端末は、１つまたは複数のアンテナを装備し得る（すなわち、Ｎut≧１）。Ｋ個の選択されたユーザ端末は、同じまたは異なる数のアンテナを有することができる。
【００３４】
[0044]システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。システム１００はまた、送信／受信を異なるタイムスロットに分割することによって、ユーザ端末１２０が同じ周波数チャネルを共有する場合、ＴＤＭＡシステムであり得、各タイムスロットは異なるユーザ端末１２０に割り当てられる。
【００３５】
[0045]図２は、本開示の態様を実装するために使用され得る、図１に示されているＡＰ１１０とＵＴ１２０との例示的な構成要素を示す。ＡＰ１１０とＵＴ１２０との１つまたは複数の構成要素は、本開示の態様を実施するために使用され得る。たとえば、ＡＰ１１０のアンテナ２２４、Ｔｘ／Ｒｘ２２２、および／またはプロセッサ２１０、２２０、２４０、２４２、および／またはコントローラ２３０、あるいはＵＴ１２０のアンテナ２５２、Ｔｘ／Ｒｘ２５４、プロセッサ２６０、２７０、２８８、および２９０、および／またはコントローラ２８０は、本明細書で説明され、それぞれ図７および図７Ａを参照しながら示される動作７００および７００Ａと、本明細書で説明され、それぞれ図９および図９Ａを参照しながら示される動作９００および９００Ａとを実行するために使用され得る。
【００３６】
[0046]図２は、ＭＩＭＯシステム１００におけるアクセスポイント１１０２つのユーザ端末１２０ｍおよび１２０ｘのブロック図を示す。アクセスポイント１１０はＮt個のアンテナ２２４ａ〜２２４ａｐを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択され、ＮupはＮdnに等しいことも等しくないこともあり、ＮupおよびＮdnは、静的値であり得るか、またはスケジューリング間隔ごとに変化することがある。ビームステアリングまたは何らかの他の空間処理技法がアクセスポイントおよびユーザ端末において使用され得る。
【００３７】
[0047]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調スキームに基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３８】
[0048]Ｎup個のユーザ端末が、アップリンク上での同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３９】
[0049]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行される。各復元アップリンクデータシンボルストリームは、それぞれのユーザ端末によって送信された（通信された）データシンボルストリームの推定値である。ＲＸデータプロセッサ２４２は、復号データを取得するために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００４０】
[0050]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。各ユーザ端末のための復号データは、記憶のためにデータシンク２７２に与えられ、および／またはさらなる処理のためにコントローラ２８０に与えられ得る。
【００４１】
[0051]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００４２】
[0052]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、アクセスポイント１１０において、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれアクセスポイント１１０およびユーザ端末１２０における様々な処理ユニットの動作を制御する。
【００４３】
[0053]図３は、ＭＩＭＯシステム１００内で採用され得るワイヤレスデバイス３０２において利用され得る様々な構成要素を示す。ワイヤレスデバイス３０２は、本明細書で説明される様々な方法を実装するように構成され得るデバイスの一例である。たとえば、ワイヤレスデバイスは、それぞれ図７および図９に示されている動作７００および９００を実装し得る。ワイヤレスデバイス３０２はアクセスポイント１１０またはユーザ端末１２０であり得る。
【００４４】
[0054]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明される方法を実装するために実行可能であり得る。
【００４５】
[0055]ワイヤレスデバイス３０２はまた、ワイヤレスデバイス３０２とリモートノードとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４６】
[0056]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度および他の信号として検出し得る。ワイヤレスデバイス３０２は、信号を処理する際に使用するためのデジタル信号プロセッサ（ＤＳＰ）３２０をも含み得る。
【００４７】
[0057]ワイヤレスデバイス３０２の様々な構成要素は、データバスに加えて、電力バスと、制御信号バスと、ステータス信号バスとを含み得る、バスシステム３２２によって互いに結合され得る。  
例示的なネイバーアウェアネットワーク
【００４８】
[0058]ロケーション対応（たとえば、ＧＰＳ対応）モバイルデバイスの人気の増加により、ネイバーアウェアネットワーク（ＮＡＮ）が出現しつつある。ＮＡＮは、互いに極めて近接して位置する局（ＳＴＡ）間の通信のためのネットワークを指すことがある。ＮＡＮは、既存のデバイスまたは環境に入る新しいデバイス上で発見可能になっているサービスの発見を可能にするために、デバイスがその上で収束する時間およびチャネルを、デバイスが同期させるための機構を提供する。
【００４９】
[0059]ＮＡＮ発見ウィンドウは、ＮＡＮデバイスがその上で収束する時間およびチャネルを指すことがある。同じ発見ウィンドウスケジュールに同期されたＮＡＮデバイス（ＮＡＮプロトコルをサポートし、ＮＡＮマスタまたはＮＡＮ非マスタであり得るＷｉＦｉ（登録商標）対応デバイス）の集合は、ＮＡＮクラスタと呼ばれることがある。
【００５０】
[0060]図４は、本開示のいくつかの態様による、例示的なＮＡＮクラスタ４００を示す。同じＮＡＮクラスタ４００の一部である（たとえば、ＡＰ１１０またはユーザ端末１２０などの）ＮＡＮデバイス４１０は、ＮＡＮマスタ選択プロシージャに参加し得る。どのＮＡＮデバイス４１０がＮＡＮクラスタ４００の一部であるかの変化および／またはそれらのマスタランクの変化など、ＮＡＮクラスタ４００における変化に応じて、異なるＮＡＮデバイス４１０が、異なる時間においてマスタ役割にあるＮＡＮデバイスになるために選択され得る。
【００５１】
[0061]いくつかの場合には、ＮＡＮ  ＩＤが、（たとえば、ＮＡＮクラスタまたはＮＡＮクラスタのネットワークの１つまたは複数のメンバーである１つまたは複数のデバイスに適用可能な）ＮＡＮパラメータのセットを示すために使用され得る。したがって、ＮＡＮネットワークは、同じＮＡＮ  ＩＤを共有するＮＡＮクラスタの集合を指すことがある。
【００５２】
[0062]図５は、本開示のいくつかの態様による、重複する（ＮＡＮデバイス４１０1の）ＮＡＮクラスタ４００1と（ＮＡＮデバイス４１０2の）ＮＡＮクラスタ４００2とをもつ例示的なＮＡＮネットワーク５００を示す。図５には示されていないが、ＮＡＮデバイスは、２つ以上の重複するクラスタに参加し得る。同じく図示されていないが、ＮＡＮデバイスは、ワイヤレスローカルエリアネットワーク（ＷＬＡＮ）またはＷｉＦｉ  Ｄｉｒｅｃｔ（登録商標）など、他のタイプのＷｉＦｉネットワーク（たとえば、異なる外部ネットワーク接続をもつ独立したＬＡＮの一部としての異なる家庭または建築物中のＳＴＡ）とともにＮＡＮネットワークにおいてコンカレントに動作し得る。
【００５３】
[0063]ＮＡＮは、概して、デバイスの存在、ＮＡＮによって提供されるサービス、および同期情報を広告するために発見ウィンドウを利用する。発見ウィンドウ中に、ＮＡＮデバイスは、相互発見のために高い確率で利用可能である（それら自体を利用可能にする）。合間の期間中に、デバイスは、眠っているか、または他のアクティビティ、たとえば、場合によっては異なるチャネル上で他のネットワーク上で通信することと関与し得る。ＮＡＮクラスタを作るＮＡＮデバイスが、一連の発見ウィンドウ開始時間（ＤＷＳＴ：discovery window start time）を定義し得る。
【００５４】
[0064]同じＮＡＮクラスタに参加しているＮＡＮデバイスは、共通クロックに同期される。発見ウィンドウ中に、１つまたは複数のＮＡＮデバイスは、ＮＡＮクラスタ内のすべてのＮＡＮデバイスがそれらのクロックを同期させるのを助けるために、ＮＡＮ同期ビーコンフレームを送信する。タイミング同期機能（ＴＳＦ）が、同じＮＡＮクラスタ中のすべてのＮＡＮデバイスのタイマーを同期された状態に保つ。ＮＡＮクラスタ中のＴＳＦは分散アルゴリズムを介して実装され得、ＮＡＮビーコンフレームはアルゴリズムに従って送信され得る。相対開始点または「時間０」が、第１のＤＷＳＴとして定義され得る。いくつかの態様によれば、ＮＡＮ中のすべてのデバイスは、たとえば、ＴＳＦの下位２３ビットが０である発見ウィンドウとして定義され得る第１の発見ウィンドウ（ＤＷ０）において起動し得る。後続の発見ウィンドウ中に、いくつかのＮＡＮデバイスは、アウェイクである（たとえば、省電力モードにある場合は起動する）こと、またはアウェイクでない（たとえば、省電力に入るかまたは省電力のままである）ことを選定し得る。したがって、そのような同期は、通常ならば発生するであろう発見レイテンシ、電力消費、および媒体占有を減少させ得る。
【００５５】
[0065]ＮＡＮ同期プロシージャは、一般に、サービス発見メッセージングとは別個である。ＮＡＮデバイスは、発見ウィンドウ中でせいぜい１つの同期ビーコンを送信するが、複数のＮＡＮサービス発見フレームが、発見ウィンドウ中でＮＡＮデバイスによって送信され得る。ＮＡＮサービス発見フレームは、ＮＡＮデバイスが、他のＮＡＮデバイスからのサービスを探し、サービスを他のＮＡＮデバイスにとって発見可能にすることを可能にする。  
例示的な効率的なレンジング
【００５６】
[0066]本明細書でより詳細に説明されるように、局がアウェイクであるようにすでにスケジュールされた時間中に（たとえば、ページングウィンドウまたはデータウィンドウ中に）、ファインタイミング測定（ＦＴＭ）情報が交換され得る。さらに、ＦＴＭ情報は、専用フレームではなく既存のフレーム中で交換され得る。一例として、ＦＴＭ情報は、関連付けフレーム、トリガ／ポーリングフレーム、プローブ応答フレーム、および／またはプローブ要求フレーム中で交換され得る。
【００５７】
[0067]ＦＴＭ情報はまた、他の局とレンジングした静止したデバイスであり得るプロキシ局を介して受信され得る。プロキシとして働く静止したデバイスのロケーションを知ることによって、他の局の相対（または絶対）位置に関する情報が決定され得る。
【００５８】
[0068]ネイバーアウェアネットワーク（ＮＡＮ）は、デバイス間の距離がサービスの動作のための基準である、デバイス間のサービスを可能にし得る。１つの例示的な例では、病院にいる医師が、たとえば、モバイルＸ線機械など、高需要医療デバイスのロケーションを見つけるために、たとえば、電話またはタブレットなど、モバイルデバイスを使用することを望み得る。医師のモバイルデバイスおよびモバイルＸ線機械がＮＡＮデータリンク（ＮＤＬ：NAN data link）ネットワーク中にある場合、医師のモバイルデバイスは、Ｘ線機械を含み得る近くのデバイスのロケーションを決定するために、ならびに近くのデバイスによって提供されるサービス（たとえば、Ｘ線）を決定するために、レンジングを実行し得る。
【００５９】
[0069]このようにして、レンジング結果がサービスまたはアクションをトリガし得る。たとえば、サービスが近くにあることをレンジングが示す場合、医師に通知を与えること（たとえば、医師のモバイルデバイス上のアラーム）など、アクションがとられ得る。別の例として、レンジングは、（たとえば、患者上の「ウェアラブル」デバイスを用いたレンジングによって患者のロケーションをモニタするために使用され得る。患者が（たとえば、彼らのベッドまたは部屋から）あまりに遠くにさまよっていることをレンジングが示す場合、アラームが鳴らされ得る。このようにして、レンジングは、所望の距離において確立された外周をもつ一種の「見えないフェンス」として使用され得る。これは、子供、ペット、さらには盗まれやすいデバイス（たとえば、ショッピングカート、商品など）をモニタするのに有用であり得る。
【００６０】
[0070]ファインタイミング測定（ＦＴＭ）は、概して、開始ＳＴＡと応答ＳＴＡとの間で送信されたメッセージのラウンドトリップ遅延を測定することによって、２つの局（ＳＴＡ）間の距離を測定する（たとえば、ＩＥＥＥ８０２．１１ｍｃワイヤレス規格において定義されている）レンジングプロトコルを指す。ＦＴＭは約３メートルのレンジング精度を有し得る。いくつかの場合には、開始ＳＴＡと応答ＳＴＡとの間で複数のフレーム（たとえば、６つのフレームのバースト）を交換することによって、単一バーストＦＴＭ測定が達成され得る。
【００６１】
[0071]図６は、例示的なＦＴＭプロシージャのためのフレーム交換を示す例示的なコールフロー６００である。図６に示されているように、開始ＳＴＡは、ＦＴＭプロシージャを開始するために、ＦＴＭ要求（ＦＴＭＲ）フレームを応答ＳＴＡに送り得る。応答ＳＴＡはＡＣＫを開始ＳＴＡに送り得る。ＦＴＭＲおよびＡＣＫの後に、応答ＳＴＡは、ＦＴＭフレームを送ること（ＦＴＭフレームのための送信時間はｔ1として示される）を開始し得、ＦＴＭフレームは、ｔ2として示される時間において開始ＳＴＡによって受信され得る。ｔ3において、開始ＳＴＡはＡＣＫで応答し得、ＡＣＫは、ｔ4において応答ＳＴＡによって受信され得る。
【００６２】
[0072]図示のように、これらのステップは、６つのＦＴＭフレームの全バースト交換の間、応答ＳＴＡによって送信された各ＦＴＭフレーム（ＦＴＭ＿１、ＦＴＭ＿２、ＦＴＭ＿３）について繰り返され得る。各場合において、現在のＦＴＭフレームは、前のＦＴＭフレームからのｔ1およびｔ4値が埋め込まれ得る（たとえば、ＦＴＭ２はＦＴＭ１交換からのｔ1およびｔ4値を有する）。開始ＳＴＡは、その場合、応答ＳＴＡと開始ＳＴＡとの間のＲＴＴを推定するために、（開始ＳＴＡは、ｔ２においてＦＴＭを受信しており、ｔ３においてＡＣＫを送っており、ｔ２およびｔ３をすでに知っているので）ｔ1、ｔ2、ｔ3、およびｔ4を使用し得る。
【００６３】
[0073]ＲＴＴは、２つのワイヤレス局間の範囲（距離）を推定する使用され得る。それ自体の２Ｄロケーションを決定するために、１つのワイヤレス局は、既知の２Ｄロケーションを有し得る少なくとも３つの他のワイヤレス局からＲＴＴ測定値を収集し得る。ワイヤレス局は、それ自体の２Ｄロケーションを算出するために他のワイヤレス局からのＲＴＴ測定値を使用し得る。これは、交換されるＦＴＭフレームの数を増加させ、ネットワークスループットを低減し得る。
【００６４】
[0074]従来、ＦＴＭレンジングは、スケジューリングおよびリソース供給がアクセスポイント（ＡＰ）中心である、ＡＰ−局（ＳＴＡ）タイプのネットワークにおいて実行される。したがって、一般に、ＡＰは常時オンであるので、省電力に対する考慮はほとんどない。しかしながら、ＮＡＮデータリンク（ＮＤＬ）ネットワーク中のデバイスは、ＮＡＮビーコンを介して同期される。したがって、ＮＤＬネットワーク中のデバイスは、ページングウィンドウ中に起動し得る。ＮＡＮは、一般に、ＳＴＡ−ＳＴＡ（ピアツーピア（Ｐ２Ｐ））通信を伴うので、電力を温存し得るＦＴＭプロトコルを定義することは望ましいことがある。
【００６５】
[0075]したがって、たとえば、ＮＡＮにおける効率的なレンジングのための技法および装置が望ましい。以下でより詳細に説明されるように、そのような効率的なレンジングは、デバイスがオンであるように、たとえば、ビーコンをリッスンするように、すでにスケジュールされた期間を利用し得る。
【００６６】
[0076]図７は、本開示のいくつかの態様による、装置によるワイヤレス通信のための例示的な効率的なレンジング動作７００のブロック図を示す。動作７００は、たとえば、開始ＳＴＡ（たとえば、ユーザ端末１２０またはＡＰ１１０）によって実行され得る。
【００６７】
[0077]動作７００は、７０２において、少なくとも１つの第２の装置（たとえば、応答機ＳＴＡ）がアウェイクであるようにスケジュールされる期間を決定することによって開始する。第１および第２の装置は、非ＡＰ  ＳＴＡであり得る。第２の装置は、ＮＤＬネットワーク中にあり得る。一例では、開始ＳＴＡは、第２の装置がデータウィンドウ中にデータを送るかまたは受信するようにスケジュールされると決定し得、データウィンドウ中に（たとえば、トリガ／ポーリングフレーム中で）フレームを交換し得る。
【００６８】
[0078]７０４において、開始ＳＴＡは、期間中に第２の装置への送信のための第１のフレームを生成する。７０６において、開始ＳＴＡは、送信のための第１のフレームを出力する。
【００６９】
[0079]７０８において、開始ＳＴＡは、第１のフレームに応答して第２のフレームを取得する。７１０において、開始ＳＴＡは、第１のフレームの送信と第２のフレームの受信との間の時間差（たとえば、図６を参照すると、ＦＴＭＲおよび応答のＦＴＭ交換からのｔ1およびｔ4値）に基づいて、レンジング（たとえば、ＦＴＭ）情報を決定する。
【００７０】
[0080]７１２において、開始ＳＴＡは、レンジング情報を含む第３のフレームを生成する。７１４において、開始ＳＴＡは、送信のための第３のフレームを出力する。
【００７１】
[0081]いくつかの態様によれば、開始ＳＴＡは、第２の装置に関連付けることと、関連付けプロシージャ中に（たとえば、関連付けまたは認証フレーム中で）ＦＴＭ情報を交換することとを決定し得る。いくつかの場合には、ＳＴＡが、第２の装置から受信されたモビリティ情報（モビリティを示す情報）に基づいて、第２の装置に関連付けるための関連付けプロシージャを開始し得る。いくつかの場合には、モビリティ情報は、本明細書で説明されるレンジング技法をどのくらいの頻度で実行するかを決定するために使用され得る。たとえば、デバイスが移動している（または離れていく）場合、レンジングはより高い頻度で実行され得る。
【００７２】
[0082]代替的に、開始ＳＴＡは、プローブ応答フレームまたはプローブ要求フレーム中でフレームを交換し得る。いくつかの態様によれば、開始ＳＴＡは、（たとえば、ブロードキャスト発見メッセージ、ＮＡＮサービス発見メッセージ、またはブロードキャスト同期ビーコン中で）第３のフレームを第３の装置に送信することによって、レンジングプロキシとして働き得る。開始ＳＴＡはまた、それがレンジングした他の装置に関するＦＴＭ情報およびサービス情報を第３の装置に与え得る。また、第４および第５のフレームが、同様にして他のデバイスと交換され得る。  
例示的な、アウェイク期間中に既存のフレーム上でＦＴＭデータをピギーバックすること
【００７３】
[0083]図８の例示的な時間シーケンス図８００によって示されるように、いくつかの態様によれば、ＦＴＭフレームは、デバイスがすでにアウェイクである期間中に、ＮＤＬネットワーク中のデバイス間で交換され得る。このようにして、追加の起動時間がＦＴＭのためにスケジュールされる必要がなく（すなわち、追加の時間がレンジングのために確保される必要がなく）、これは、デバイスがより長く低電力状態にとどまることを可能にすることによって、電力を節約し得る。図８に示されているように、本開示のいくつかの態様によれば、ＦＴＭフレームが、スケジュールされた発見ウィンドウ期間中に交換され得る。
【００７４】
[0084]ＮＤＬネットワーク中のデバイスがＮＡＮビーコン８０２を介して同期されるので、起動およびスリープ時間が協調され得る。たとえば、ＮＤＬネットワーク中のすべての参加デバイスは、ＮＤＬネットワーク中の他のデバイスからのトラフィック告知を送るかまたはモニタするために、ページングウィンドウ８０４中に起動する。残りの時間中に、データがデバイス間で交換され得、データウィンドウ８０６中に、デバイスは、それらが送るかまたは受信すべきトラフィックを有するかどうかに応じて、スリープまたは起動し得る。すべてのデバイスがページングウィンドウ８０４中にアウェイクであるので、ルーティングおよび関連付けメッセージも、この時間中に交換される。
【００７５】
[0085]いくつかの態様によれば、ＦＴＭ情報が、データウィンドウ８０６中にトリガ／ポーリングフレーム中で送信され得る。上述のように、ＮＤＬ中のデバイスは、ページングウィンドウ８０４中に、トラフィック告知（たとえば、ページ）を送るかおよび／または受信し得る。送信機のページ中で示されたデバイスは、それらがデータウィンドウ中にトラフィックを受信するために利用可能であることを示すために、データウィンドウ８０６の最初にトリガフレームを送信機に送り得る。送信機デバイスは、受信機デバイスのトリガフレームに肯定応答し得る。送信機デバイスは、受信機デバイスがデータウィンドウ８０６中にトラフィックを受信するために利用可能であるかどうかを確認するために、データウィンドウ８０６の最初に各受信機デバイスをポーリングし得る。受信機デバイスは、送信機のポールに肯定応答し得る。
【００７６】
[0086]いくつかの態様によれば、ＦＴＭ情報は、トリガフレームおよび送信機ポール中で交換され得、肯定応答は、フレーム中のＦＴＭデータへのＡＣＫとして働き得る。いくつかの態様によれば、残りのＦＴＭ情報は、２つのデバイス間で交換されるデータの一部としてピギーバックされ、別個のフレームの必要なしに効率的なレンジングを可能にし得る。
【００７７】
[0087]いくつかの態様によれば、ＦＴＭ情報が、ＮＤＬセキュア関連付けおよび認証フレーム中で、関連付け中にページングウィンドウ中で送信され得る。新しいデバイスが、いずれか１つの参加デバイスと認証および関連付けすること（たとえば、グループ鍵など、単一の認証グループ関連付け）によって、ＮＤＬネットワークに加入する。いくつかの態様によれば、デバイスは、参加デバイスに関するモビリティ情報の受信されたインジケーションに基づいて、どの参加デバイスを関連付けるべきかを選択し得る。たとえば、以下でより詳細に説明されるように、デバイスは、デバイスがＮＤＬ中の他のデバイスとレンジングするためのプロキシとして働くことができる静止したデバイスに関連付けることを選定し得る。いくつかの態様によれば、ＦＴＭ情報が、プローブ要求メッセージおよびプローブ応答メッセージ中で送信され得る。  
プロキシを介した例示的なレンジング
【００７８】
[0088]上述のように、いくつかの態様によれば、レンジングが、プロキシデバイスを介して達成され得る。例示的な一実装形態では、静止したデバイスが、レンジングプロキシとして働き得る。プロキシによるレンジングは、事実上、デバイスが、（直接的レンジングが利用可能でないことがあるような）それらのデバイスのすぐ近くの範囲の外にあるデバイスとレンジングするのを助け得る。
【００７９】
[0089]プロキシデバイスが、プロキシデバイスとレンジングしたネイバリングデバイスの範囲／ロケーション情報を与え得る。プロキシデバイスは、他のデバイスによってリッスンされ得る近傍情報を（たとえば、プロキシデバイスがマスタである場合、発見メッセージを介してまたはビーコンを介して）ブロードキャストし得る。代替的に、プロキシデバイスは、別のデバイスからクエリを受信し得、クエリに応答して、近傍情報をデバイスに（たとえば、ユニキャストメッセージ中で）送信し得る。
【００８０】
[0090]いくつかの態様によれば、プロキシデバイスは、近傍デバイスによってサポートされるサービスに関する情報をも与え得る。いくつかの態様によれば、ブルームフィルタまたは同様の技法が、１つのメッセージ中にいくつかの近傍デバイスに関する情報を効率的にパックするために実装され得る。ブルームフィルタは、一般に、確実ではないが、デバイスまたはサービスが利用可能であり得るというインジケーションを与える。言い換えれば、ブルームフィルタの値は、デバイスまたはサービスが利用可能でないと確実に決定するために使用され得るが、ブルームフィルタは、さらなる発見のオーバーヘッドを正当化する、考えられる利用可能性を示すにすぎない。
【００８１】
[0091]図９は、本開示のいくつかの態様による、プロキシによるレンジングのための例示的な動作９００のブロック図を示す。動作９００は、たとえば、応答ＳＴＡ（たとえば、ユーザ端末１２０）によって実行され得る。動作９００は、９０２において、低電力状態からアウェイクするための期間を決定することによって開始し得る。
【００８２】
[0092]９０４において、応答ＳＴＡは、期間中に第２の装置（たとえば、開始ＳＴＡ）から第１のフレームを取得する。９０６において、応答ＳＴＡは、第１のフレームに応答して、第２の装置への送信のための第２のフレームを生成する。９０８において、応答ＳＴＡは、第２の装置への送信のための第２のフレームを出力する。９１０において、応答ＳＴＡは、第１のフレームの送信と第２のフレームの受信との間の時間差に基づいて、第２の装置によって決定されたレンジング（たとえば、ＦＴＭ）情報を備える第３のフレームを取得する。および９１２において、応答ＳＴＡは、第３のフレームに基づいて、第１の装置に対する第２の装置の相対ロケーションを決定する。
【００８３】
[0093]いくつかの態様によれば、上記で説明された効率的なレンジング技法を適用することによって、レンジングが、低減されたシグナリングオーバーヘッドおよび電力消費とともに実行され得る。たとえば、すでにスケジュールされた起動期間中にＦＴＭ情報を交換することによって、レンジングのための追加の起動時間がスケジュールされる必要がないので、電力消費が低減され得る。さらに、既存のフレーム中にＦＴＭ情報を含めることによって、シグナリングオーバーヘッドが低減され得る。
【００８４】
[0094]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００８５】
[0095]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００８６】
[0096]本明細書で使用される「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００８７】
[0097]いくつかの場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、送信のためにＲＦフロントエンドからフレームを取得（または受信）し得る。いくつかの場合には、単一のインターフェース（たとえば、トランシーバ）が、送信（または送信のために出力）および受信（または取得）することが可能であり得る。
【００８８】
[0098]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図７および図９に示されている動作７００および動作９００は、それぞれ、図７Ａおよび図９Ａに示されている手段７００Ａおよび手段９００Ａに対応する。
【００８９】
[0099]たとえば、受信するための手段および取得するための手段は、図２に示されているユーザ端末１２０の受信機（たとえば、トランシーバ２５４の受信機ユニット）および／または（１つまたは複数の）アンテナ２５２、あるいは図２に示されているアクセスポイント１１０の受信機（たとえば、トランシーバ２２２の受信機ユニット）および／または（１つまたは複数の）アンテナ２２４であり得る。送信するための手段および出力するための手段は、図２に示されているユーザ端末１２０の送信機（たとえば、トランシーバ２５４の送信機ユニット）および／または（１つまたは複数の）アンテナ２５２、あるいは図２に示されているアクセスポイント１１０の送信機（たとえば、トランシーバ２２２の送信機ユニット）および／または（１つまたは複数の）アンテナ２２４であり得る。
【００９０】
[0100]生成するための手段および決定するための手段は、図２に示されているユーザ端末１２０のＲＸデータプロセッサ２７０、ＴＸデータプロセッサ２８８、および／またはコントローラ２８０、あるいは図２に示されているアクセスポイント１１０のＴＸデータプロセッサ２１０、ＲＸデータプロセッサ２４２、および／またはコントローラ２３０など、１つまたは複数のプロセッサを含み得る、処理システムを備え得る。
【００９１】
[0101]いくつかの態様によれば、そのような手段は、（たとえば、ハードウェアでまたはソフトウェア命令を実行することによって）上記で説明された様々なアルゴリズムを実装することによって、対応する機能を実行するように構成された処理システムによって実装され得る。たとえば、少なくとも１つの第２の装置がアウェイクであるようにスケジュールされる期間を決定するためのアルゴリズム、期間中に第２の装置への送信のための第１のフレームを生成するためのアルゴリズム、送信のための第１のフレームを出力するためのアルゴリズム、第１のフレームに応答して第２のフレームを取得するためのアルゴリズム、第１のフレームの送信と第２のフレームの受信との間の時間差に基づいてレンジング情報を決定するためのアルゴリズム、レンジング情報を含む第３のフレームを生成するためのアルゴリズム、および送信のための第３のフレームを出力するためのアルゴリズム。別の例では、低電力状態からアウェイクするための期間を決定するためのアルゴリズム、期間中に第２の装置から第１のフレームを取得するためのアルゴリズム、第１のフレームに応答して、第２の装置への送信のための第２のフレームを生成するためのアルゴリズム、第２の装置への送信のための第２のフレームを出力するためのアルゴリズム、第１のフレームの送信と第２のフレームの受信との間の時間差に基づいて、第２の装置によって決定されたレンジング情報を備える第３のフレームを取得するためのアルゴリズム、および第３のフレームに基づいて、第１の装置に対する第２の装置の相対ロケーションを決定するためのアルゴリズム。
【００９２】
[0102]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９３】
[0103]ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、それらは当技術分野でよく知られており、したがってこれ以上説明されない。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。当業者は、特定の適用例と、全体的なシステムに課される全体的な設計制約とに応じて、どのようにしたら処理システムについて説明された機能を最も良く実装し得るかを理解されよう。
【００９４】
[0104]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサに一体化され得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【００９５】
[0105]ソフトウェアモジュールは、単一の命令、または多数の命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００９６】
[0106]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００９７】
[0107]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、少なくとも１つの第２の装置がアウェイクであるようにスケジュールされる期間を決定するための命令、期間中に第２の装置への送信のための第１のフレームを生成するための命令、送信のための第１のフレームを出力するための命令、第１のフレームに応答して第２のフレームを取得するための命令、第１のフレームの送信と第２のフレームの受信との間の時間差に基づいてレンジング情報を決定するための命令、レンジング情報を含む第３のフレームを生成するための命令、および送信のための第３のフレームを出力するための命令。別の例では、低電力状態からアウェイクするための期間を決定するための命令、期間中に第２の装置から第１のフレームを取得するための命令、第１のフレームに応答して、第２の装置への送信のための第２のフレームを生成するための命令、第２の装置への送信のための第２のフレームを出力するための命令、第１のフレームの送信と第２のフレームの受信との間の時間差に基づいて、第２の装置によって決定されたレンジング情報を備える第３のフレームを取得するための命令、および第３のフレームに基づいて、第１の装置に対する第２の装置の相対ロケーションを決定するための命令。
【００９８】
[0108]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【００９９】
[0109]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
少なくとも１つのワイヤレスデバイスがアウェイクであるようにスケジュールされる期間を決定することと、前記期間中に前記ワイヤレスデバイスへの送信のための第１のフレームを生成することと、前記第１のフレームの送信と前記第１のフレームに応答する第２のフレームの受信との間の時間差に基づいてレンジング情報を決定することと、前記レンジング情報を含む第３のフレームを生成することと
を行うように構成された処理システムと、
送信のための前記第１のフレームと前記第３のフレームとを出力するように構成された第１のインターフェースと、
前記第２のフレームを取得するように構成された第２のインターフェースと
を備える、装置。
［Ｃ２］
前記レンジング情報は、ファインタイミング測定（ＦＴＭ）情報を備える、
［Ｃ１］に記載の装置。
［Ｃ３］
前記装置は、非アクセスポイント（ＡＰ）局として構成され、前記ワイヤレスデバイスは、非ＡＰ局を備える、
［Ｃ１］に記載の装置。
［Ｃ４］
前記ワイヤレスデバイスは、ネイバーアウェアネットワーク（ＮＡＮ）のメンバーであり、
前記処理システムは、前記ネイバーアウェアネットワーク（ＮＡＮ）の同期信号に基づいて、前記少なくとも１つのワイヤレスデバイスがアウェイクであるようにスケジュールされる前記期間を決定するように構成された、
［Ｃ１］に記載の装置。
［Ｃ５］
前記第１のフレーム、前記第２のフレーム、または前記第３のフレームのうちの少なくとも１つは、前記ワイヤレスデバイスとの実行される関連付けプロシージャ中に通信される、
［Ｃ１］に記載の装置。
［Ｃ６］
前記第１のフレーム、前記第２のフレーム、または前記第３のフレームのうちの前記少なくとも１つは、関連付けまたは認証フレームを備える、
［Ｃ５］に記載の装置。
［Ｃ７］
前記第１のインターフェースは、前記ワイヤレスデバイスから、モビリティ情報のインジケーションを取得するように構成され、
前記処理システムは、前記インジケーションに基づいて前記ワイヤレスデバイスとの前記関連付けプロシージャを開始するように構成された、
［Ｃ５］に記載の装置。
［Ｃ８］
前記第１のフレーム、前記第２のフレーム、または前記第３のフレームのうちの少なくとも１つは、プローブ要求、プローブ応答、受信トリガフレームまたは送信ポールフレームを備える、
［Ｃ１］に記載の装置。
［Ｃ９］
前記ワイヤレスデバイスがアウェイクであるようにスケジュールされる前記期間を決定することは、前記ワイヤレスデバイスがトラフィック告知に基づいてデータを送るかまたは受信するようにスケジュールされると決定することを備える、
［Ｃ１］に記載の装置。
［Ｃ１０］
前記第１のインターフェースは、少なくとも他のワイヤレスデバイスへの送信のための前記第３のフレームを出力するように構成された、
［Ｃ１］に記載の装置。
［Ｃ１１］
前記処理システムは、前記装置が静止しているかどうかを示すモビリティ情報を含む第４のフレームを生成するように構成され、
前記第１のインターフェースは、前記ワイヤレスデバイスまたは前記他のワイヤレスデバイスのうちの少なくとも１つへの送信のための前記第４のフレームを出力するように構成された、
［Ｃ１０］に記載の装置。
［Ｃ１２］
前記第３のフレームは、少なくとも前記ワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
［Ｃ１０］に記載の装置。
［Ｃ１３］
前記第２のインターフェースは、前記レンジング情報を要求する前記他のワイヤレスデバイスから第５のフレームを取得するようにさらに構成され、
前記第３のフレームは、要求に応答して前記他のワイヤレスデバイスへの送信のために出力される、
［Ｃ１０］に記載の装置。
［Ｃ１４］
ワイヤレス通信のための装置であって、
第１の電力状態からアウェイクするための期間を決定することと、前記期間中にワイヤレスデバイスから受信された第１のフレームに応答して、前記ワイヤレスデバイスへの送信のための第２のフレームを生成することと、レンジング情報を備える第３のフレームに基づいて、前記装置に対する前記ワイヤレスデバイスの相対ロケーションを決定することとを行うように構成された処理システムと、
前記ワイヤレスデバイスへの送信のための前記第２のフレームを出力するように構成された第１のインターフェースと、
前記第１のフレームと前記第３のフレームとを取得するように構成された第２のインターフェースと
を備える、装置。
［Ｃ１５］
前記レンジング情報は、ファインタイミング測定（ＦＴＭ）情報を備える、
［Ｃ１４］に記載の装置。
［Ｃ１６］
前記第１のフレーム、前記第２のフレーム、または前記第３のフレームのうちの少なくとも１つは、前記ワイヤレスデバイスとの実行される関連付けプロシージャ中に通信される、
［Ｃ１４］に記載の装置。
［Ｃ１７］
前記第１のフレーム、前記第２のフレーム、または前記第３のフレームのうちの少なくとも１つは、関連付けフレーム、認証フレーム、プローブ要求またはプローブ応答を備える、
［Ｃ１６］に記載の装置。
［Ｃ１８］
前記第２のインターフェースは、前記ワイヤレスデバイスから、モビリティ情報のインジケーションを取得するように構成され、
前記処理システムは、前記インジケーションに基づいて前記関連付けプロシージャを開始するように構成された、
［Ｃ１７］に記載の装置。
［Ｃ１９］
前記処理システムは、同期信号に基づいて前記第１の電力状態からアウェイクするための前記期間を決定するように構成された、
［Ｃ１４］に記載の装置。
［Ｃ２０］
前記第１の電力状態からアウェイクするための前記期間を決定することは、前記装置がトラフィック告知に基づいてデータを送るかまたは受信するようにスケジュールされると決定することを備える、
［Ｃ１４］に記載の装置。
［Ｃ２１］
前記第１のフレーム、前記第２のフレーム、または前記第３のフレームのうちの少なくとも１つは、受信トリガフレームまたは送信ポールフレームのうちの少なくとも１つを備える、
［Ｃ１４］に記載の装置。
［Ｃ２２］
前記第２のインターフェースは、少なくとも他のワイヤレスデバイスに関するレンジング情報を含む第４のフレームを取得するように構成され、
前記処理システムは、前記第４のフレーム中に含まれる前記レンジング情報に基づいて、前記ワイヤレスデバイスと前記他のワイヤレスデバイスとの間の相対距離を決定するように構成された、
［Ｃ１４］に記載の装置。
［Ｃ２３］
前記処理システムは、前記ワイヤレスデバイスが静止していることをモビリティ情報が示す場合のみ、前記第４のフレーム中に含まれる前記レンジング情報に基づいて、前記ワイヤレスデバイスと前記他のワイヤレスデバイスとの間の相対距離を決定するように構成された、
［Ｃ２２］に記載の装置。
［Ｃ２４］
前記第４のフレーム、少なくとも前記他の装置に関するサービス情報を含む、ブロードキャスト発見メッセージ、ブロードキャスト同期ビーコン、またはネイバーアウェアネットワーク（ＮＡＮ）サービス発見メッセージ、
［Ｃ２２］に記載の装置。
［Ｃ２５］
前記処理システムは、前記他のワイヤレスデバイスに関する前記レンジング情報を要求する第５のフレームを生成するように構成され、
前記第１のインターフェースは、送信のための前記第５のフレームを出力するように構成された、
［Ｃ２２］に記載の装置。
［Ｃ２６］
前記第４のフレームは、１つまたは複数の追加のワイヤレスデバイスに関するレンジング情報を含む、
［Ｃ２２］に記載の装置。
［Ｃ２７］
ワイヤレス通信のための方法であって、
装置が、少なくとも１つのワイヤレスデバイスがアウェイクであるようにスケジュールされる期間を決定することと、
前記期間中に前記ワイヤレスデバイスへの送信のための第１のフレームを生成することと、
前記第１のフレームの送信と前記第１のフレームに応答する第２のフレームの受信との間の時間差に基づいてレンジング情報を決定することと、
前記レンジング情報を含む第３のフレームを生成することと、
送信のための前記第１のフレームと前記第３のフレームとを出力することと、
前記第２のフレームを取得することと
を備える、方法。
［Ｃ２８］
前記レンジング情報は、ファインタイミング測定（ＦＴＭ）情報を備える、
［Ｃ２７］に記載の方法。
［Ｃ２９］
前記装置は、非アクセスポイント（ＡＰ）局として構成され、前記ワイヤレスデバイスが非ＡＰ局を備える、
［Ｃ２７］に記載の方法。
［Ｃ３０］
前記ワイヤレスデバイスがネイバーアウェアネットワーク（ＮＡＮ）のメンバーであり、
前記少なくとも１つのワイヤレスデバイスは、アウェイクであるようにスケジュールされる前記期間を決定することは、前記ネイバーアウェアネットワーク（ＮＡＮ）の同期信号に基づく、
［Ｃ２７］に記載の方法。
［Ｃ３１］
前記第１のフレーム、前記第２のフレーム、または前記第３のフレームのうちの少なくとも１つは、前記ワイヤレスデバイスとの実行される関連付けプロシージャ中に通信される、
［Ｃ２７］に記載の方法。
［Ｃ３２］
前記第１のフレーム、前記第２のフレーム、または前記第３のフレームのうちの前記少なくとも１つは、関連付けまたは認証フレームを備える、
［Ｃ３１］に記載の方法。
［Ｃ３３］
前記ワイヤレスデバイスから、モビリティ情報のインジケーションを取得することと、
前記インジケーションに基づいて前記ワイヤレスデバイスとの前記関連付けプロシージャを開始することと
をさらに備える、［Ｃ３１］に記載の方法。
［Ｃ３４］
前記第１のフレーム、前記第２のフレーム、または前記第３のフレームのうちの少なくとも１つは、プローブ要求、プローブ応答、受信トリガフレームまたは送信ポールフレームを備える、
［Ｃ２７］に記載の方法。
［Ｃ３５］
前記ワイヤレスデバイスがアウェイクであるようにスケジュールされる前記期間を決定することは、前記ワイヤレスデバイスがトラフィック告知に基づいてデータを送るかまたは受信するようにスケジュールされると決定することを備える、
［Ｃ２７］に記載の方法。
［Ｃ３６］
送信のための前記第３のフレームを出力することは、少なくとも他のワイヤレスデバイスへの送信のための前記第３のフレームを出力することを備える、
［Ｃ２７］に記載の方法。
［Ｃ３７］
前記装置が静止しているかどうかを示すモビリティ情報を含む第４のフレームを生成することと、
前記ワイヤレスデバイスまたは前記他のワイヤレスデバイスのうちの少なくとも１つへの送信のための前記第４のフレームを出力することと
をさらに備える、［Ｃ３６］に記載の方法。
［Ｃ３８］
前記第３のフレームは、少なくとも前記ワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
［Ｃ３６］に記載の方法。
［Ｃ３９］
前記レンジング情報を要求する前記他のワイヤレスデバイスから第５のフレームを取得することをさらに備え、前記第３のフレームは、要求に応答して前記他のワイヤレスデバイスへの送信のために出力される、
［Ｃ３６］に記載の方法。
［Ｃ４０］
ワイヤレス通信のための方法であって、
装置によって、第１の電力状態からアウェイクするための期間を決定することと、
前記期間中にワイヤレスデバイスから受信された第１のフレームに応答して、前記ワイヤレスデバイスへの送信のための第２のフレームを生成することと、
レンジング情報を備える第３のフレームに基づいて、前記装置に対する前記ワイヤレスデバイスの相対ロケーションを決定することと、
前記ワイヤレスデバイスへの送信のための前記第２のフレームを出力することと、
前記第１のフレームと前記第３のフレームとを取得することと
を備える、方法。
［Ｃ４１］
前記レンジング情報は、ファインタイミング測定（ＦＴＭ）情報を備える、
［Ｃ４０］に記載の方法。
［Ｃ４２］
前記第１のフレーム、前記第２のフレーム、または前記第３のフレームのうちの少なくとも１つは、前記ワイヤレスデバイスとの実行される関連付けプロシージャ中に通信される、
［Ｃ４０］に記載の方法。
［Ｃ４３］
前記第１のフレーム、前記第２のフレーム、または前記第３のフレームのうちの少なくとも１つは、関連付けフレーム、認証フレーム、プローブ要求またはプローブ応答を備える、
［Ｃ４２］に記載の方法。
［Ｃ４４］
前記ワイヤレスデバイスから、モビリティ情報のインジケーションを取得することと、
前記インジケーションに基づいて前記関連付けプロシージャを開始することと
をさらに備える、［Ｃ４３］に記載の方法。
［Ｃ４５］
前記第１の電力状態からアウェイクするための前記期間を決定することは、同期信号に基づく、
［Ｃ４０］に記載の方法。
［Ｃ４６］
前記第１の電力状態からアウェイクするための前記期間を決定することは、前記装置がトラフィック告知に基づいてデータを送るかまたは受信するようにスケジュールされると決定することを備える、
［Ｃ４０］に記載の方法。
［Ｃ４７］
前記第１のフレーム、前記第２のフレーム、または前記第３のフレームのうちの少なくとも１つは、受信トリガフレームまたは送信ポールフレームのうちの少なくとも１つを備える、
［Ｃ４０］に記載の方法。
［Ｃ４８］
少なくとも他のワイヤレスデバイスに関するレンジング情報を含む第４のフレームを取得することと、
前記第４のフレーム中に含まれる前記レンジング情報に基づいて、前記ワイヤレスデバイスと前記他のワイヤレスデバイスとの間の相対距離を決定することと
をさらに備える、［Ｃ４０］に記載の方法。
［Ｃ４９］
前記ワイヤレスデバイスと前記他のワイヤレスデバイスとの間の相対距離を決定することは、前記ワイヤレスデバイスが静止していることをモビリティ情報が示す場合のみ、前記第４のフレーム中に含まれる前記レンジング情報に基づく、
［Ｃ４８］に記載の方法。
［Ｃ５０］
前記第４のフレーム、少なくとも前記他の装置に関するサービス情報を含む、ブロードキャスト発見メッセージ、ブロードキャスト同期ビーコン、またはネイバーアウェアネットワーク（ＮＡＮ）サービス発見メッセージ、
［Ｃ４８］に記載の方法。
［Ｃ５１］
前記他のワイヤレスデバイスに関する前記レンジング情報を要求する第５のフレームを生成することと、
送信のための前記第５のフレームを出力することと
をさらに備える、［Ｃ４８］に記載の方法。
［Ｃ５２］
前記第４のフレームは、１つまたは複数の追加のワイヤレスデバイスに関するレンジング情報を含む、
［Ｃ４８］に記載の方法。
［Ｃ５３］
ワイヤレス通信のための装置であって、
少なくとも１つのワイヤレスデバイスがアウェイクであるようにスケジュールされる期間を決定するための手段と、
前記期間中に前記ワイヤレスデバイスへの送信のための第１のフレームを生成するための手段と、
前記第１のフレームの送信と前記第１のフレームに応答する第２のフレームの受信との間の時間差に基づいてレンジング情報を決定するための手段と、
前記レンジング情報を含む第３のフレームを生成するための手段と、
送信のための前記第１のフレームと前記第３のフレームとを出力するための手段と、
前記第２のフレームを取得するための手段と
を備える、装置。
［Ｃ５４］
前記レンジング情報は、ファインタイミング測定（ＦＴＭ）情報を備える、
［Ｃ５３］に記載の装置。
［Ｃ５５］
前記装置は、非アクセスポイント（ＡＰ）局として構成され、前記ワイヤレスデバイスが非ＡＰ局を備える、
［Ｃ５３］に記載の装置。
［Ｃ５６］
前記ワイヤレスデバイスがネイバーアウェアネットワーク（ＮＡＮ）のメンバーであり、
前記少なくとも１つのワイヤレスデバイスがアウェイクであるようにスケジュールされる前記期間を決定するための手段は、前記ネイバーアウェアネットワーク（ＮＡＮ）の同期信号に基づく、
［Ｃ５３］に記載の装置。
［Ｃ５７］
前記第１のフレーム、前記第２のフレーム、または前記第３のフレームのうちの少なくとも１つは、前記ワイヤレスデバイスとの実行される関連付けプロシージャ中に通信される、
［Ｃ５３］に記載の装置。
［Ｃ５８］
前記第１のフレーム、前記第２のフレーム、または前記第３のフレームのうちの前記少なくとも１つは、関連付けまたは認証フレームを備える、
［Ｃ５７］に記載の装置。
［Ｃ５９］
前記ワイヤレスデバイスから、モビリティ情報のインジケーションを取得するための手段と、
前記インジケーションに基づいて前記ワイヤレスデバイスとの前記関連付けプロシージャを開始するための手段と
をさらに備える、［Ｃ５７］に記載の装置。
［Ｃ６０］
前記第１のフレーム、前記第２のフレーム、または前記第３のフレームのうちの少なくとも１つは、プローブ要求、プローブ応答、受信トリガフレームまたは送信ポールフレームを備える、
［Ｃ５３］に記載の装置。
［Ｃ６１］
前記ワイヤレスデバイスがアウェイクであるようにスケジュールされる前記期間を決定するための手段は、前記ワイヤレスデバイスがトラフィック告知に基づいてデータを送るかまたは受信するようにスケジュールされると決定するための手段を備える、
［Ｃ５３］に記載の装置。
［Ｃ６２］
送信のための前記第３のフレームを出力するための手段は、少なくとも他のワイヤレスデバイスへの送信のための前記第３のフレームを出力することを備える、
［Ｃ５３］に記載の装置。
［Ｃ６３］
前記装置は、静止しているかどうかを示すモビリティ情報を含む第４のフレームを生成するための手段と、
前記ワイヤレスデバイスまたは前記他のワイヤレスデバイスのうちの少なくとも１つへの送信のための前記第４のフレームを出力するための手段と
をさらに備える、［Ｃ６２］に記載の装置。
［Ｃ６４］
前記第３のフレームは、少なくとも前記ワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
［Ｃ６２］に記載の装置。
［Ｃ６５］
前記レンジング情報を要求する前記他のワイヤレスデバイスから第５のフレームを取得するための手段をさらに備え、前記第３のフレームは、要求に応答して前記他のワイヤレスデバイスへの送信のために出力される、
［Ｃ６２］に記載の装置。
［Ｃ６６］
ワイヤレス通信のための装置であって、
第１の電力状態からアウェイクするための期間を決定するための手段と、
前記期間中にワイヤレスデバイスから受信された第１のフレームに応答して、前記ワイヤレスデバイスへの送信のための第２のフレームを生成するための手段と、
レンジング情報を備える第３のフレームに基づいて、前記装置に対する前記ワイヤレスデバイスの相対ロケーションを決定するための手段と、
前記ワイヤレスデバイスへの送信のための前記第２のフレームを出力するための手段と、
前記第１のフレームと前記第３のフレームとを取得するための手段と
を備える、装置。
［Ｃ６７］
前記レンジング情報は、ファインタイミング測定（ＦＴＭ）情報を備える、
［Ｃ６６］に記載の装置。
［Ｃ６８］
前記第１のフレーム、前記第２のフレーム、または前記第３のフレームのうちの少なくとも１つは、前記ワイヤレスデバイスとの実行される関連付けプロシージャ中に通信される、
［Ｃ６６］に記載の装置。
［Ｃ６９］
前記第１のフレーム、前記第２のフレーム、または前記第３のフレームのうちの少なくとも１つは、関連付けフレーム、認証フレーム、プローブ要求またはプローブ応答を備える、
［Ｃ６８］に記載の装置。
［Ｃ７０］
前記ワイヤレスデバイスから、モビリティ情報のインジケーションを取得するための手段と、
前記インジケーションに基づいて前記関連付けプロシージャを開始するための手段と
をさらに備える、［Ｃ６９］に記載の装置。
［Ｃ７１］
前記第１の電力状態からアウェイクするための前記期間を決定するための手段は、同期信号に基づく、
［Ｃ６６］に記載の装置。
［Ｃ７２］
前記第１の電力状態からアウェイクするための前記期間を決定するための手段は、前記装置がトラフィック告知に基づいてデータを送るかまたは受信するようにスケジュールされると決定することを備える、
［Ｃ６６］に記載の装置。
［Ｃ７３］
前記第１のフレーム、前記第２のフレーム、または前記第３のフレームのうちの少なくとも１つは、受信トリガフレームまたは送信ポールフレームのうちの少なくとも１つを備える、
［Ｃ６６］に記載の装置。
［Ｃ７４］
少なくとも他のワイヤレスデバイスに関するレンジング情報を含む第４のフレームを取得するための手段と、
前記第４のフレーム中に含まれる前記レンジング情報に基づいて、前記ワイヤレスデバイスと前記他のワイヤレスデバイスとの間の相対距離を決定するための手段と
をさらに備える、［Ｃ６６］に記載の装置。
［Ｃ７５］
前記ワイヤレスデバイスと前記他のワイヤレスデバイスとの間の相対距離を決定するための手段は、前記ワイヤレスデバイスが静止していることをモビリティ情報が示す場合のみ、前記第４のフレーム中に含まれる前記レンジング情報に基づく、
［Ｃ７４］に記載の装置。
［Ｃ７６］
前記第４のフレーム、少なくとも前記他の装置に関するサービス情報を含む、ブロードキャスト発見メッセージ、ブロードキャスト同期ビーコン、またはネイバーアウェアネットワーク（ＮＡＮ）サービス発見メッセージ、
［Ｃ７４］に記載の装置。
［Ｃ７７］
前記他のワイヤレスデバイスに関する前記レンジング情報を要求する第５のフレームを生成するための手段と、
送信のための前記第５のフレームを出力するための手段と
をさらに備える、［Ｃ７４］に記載の装置。
［Ｃ７８］
前記第４のフレームは、１つまたは複数の追加のワイヤレスデバイスに関するレンジング情報を含む、
［Ｃ７４］に記載の装置。
［Ｃ７９］
少なくとも１つのワイヤレスデバイスがアウェイクであるようにスケジュールされる期間を決定することと、
前記期間中に前記ワイヤレスデバイスへの送信のための第１のフレームを生成することと、
前記第１のフレームの送信と前記第１のフレームに応答する第２のフレームの受信との間の時間差に基づいてレンジング情報を決定することと、
前記レンジング情報を含む第３のフレームを生成することと、
送信のための前記第１のフレームと前記第３のフレームとを出力することと、
前記第２のフレームを取得することと
を行うための命令を記憶したコンピュータ可読媒体。
［Ｃ８０］
装置が、第１の電力状態からアウェイクするための期間を決定することと、
前記期間中にワイヤレスデバイスから受信された第１のフレームに応答して、前記ワイヤレスデバイスへの送信のための第２のフレームを生成することと、
レンジング情報を備える第３のフレームに基づいて、前記装置に対する前記ワイヤレスデバイスの相対ロケーションを決定することと、
前記ワイヤレスデバイスへの送信のための前記第２のフレームを出力することと、
前記第１のフレームと前記第３のフレームとを取得することと
を行うための命令を記憶したコンピュータ可読媒体。
［Ｃ８１］
局であって、
少なくとも１つのアンテナと、
少なくとも１つのワイヤレスデバイスがアウェイクであるようにスケジュールされる期間を決定することと、前記期間中に前記ワイヤレスデバイスへの送信のための第１のフレームを生成することと、前記第１のフレームの送信と前記第１のフレームに応答する第２のフレームの受信との間の時間差に基づいてレンジング情報を決定することと、前記レンジング情報を含む第３のフレームを生成することと
を行うように構成された処理システムと、
前記少なくとも１つのアンテナを介して、送信のための前記第１のフレームと前記第３のフレームとを送信するように構成された送信機と、
前記少なくとも１つのアンテナを介して、前記第２のフレームを受信するように構成された受信機と
を備える、局。
［Ｃ８２］
局であって、
少なくとも１つのアンテナと、
第１の電力状態からアウェイクするための期間を決定することと、前記期間中にワイヤレスデバイスから受信された第１のフレームに応答して、前記ワイヤレスデバイスへの送信のための第２のフレームを生成することと、レンジング情報を備える第３のフレームに基づいて、前記局に対する前記ワイヤレスデバイスの相対ロケーションを決定することとを行うように構成された処理システムと、
前記少なくとも１つのアンテナを介して、前記ワイヤレスデバイスへの送信のための前記第２のフレームを送信するように構成された送信機と、
前記少なくとも１つのアンテナを介して、前記第１のフレームと前記第３のフレームとを受信するように構成された受信機と
を備える、局。
【図１】
0006445174.tif 000002
【図２】
0006445174.tif 000003
【図３】
0006445174.tif 000004
【図４】
0006445174.tif 000005
【図５】
0006445174.tif 000006
【図６】
0006445174.tif 000007
【図７】
0006445174.tif 000008
【図７Ａ】
0006445174.tif 000009
【図８】
0006445174.tif 000010
【図９】
0006445174.tif 000011
【図９Ａ】
0006445174.tif 000012